(57)【特許請求の範囲】
【請求項１】
軽量な棒状の強化樹脂コア(２)の外面が絶縁ポリマー被覆(５)で覆われ、強化樹脂コア(２)の長さ方向に離間した複数のがいし笠(５ａ,５ｂ,５ｃ)が一体成形された配電線用コンポジットがいし(１)の防塩カバー（１０Ａ）であって、
絶縁ポリマー被覆(５)の外表面の周囲を離間した状態で取り囲んで同表面の濡れを防止する取りはずし可能な一対の半円筒覆い(１１Ａ,１２Ａ)を備え、
半円筒覆い(１１Ａ,１２Ａ)は、一端を閉鎖された有底の半円筒カップ形状に成形され、
半円筒覆い(１１Ａ,１２Ａ)の組み合わせ面には、噛み合わせエッジ１３及び噛み合わせ溝１４が一体成形され、かつ、内部へ侵入した雨水を排出する水抜き孔(１５,１６)が形成され、
半円筒覆い(１１Ａ,１２Ａ)の一端には、配電線用コンポジットがいし(１)のコッター部(２ｂ)を挟んだ状態で固定される閉鎖壁、即ち固定部分(１１ａ,１２ｂ)が一体成形され、
半円筒覆い(１１Ａ,１２Ａ)の組み合わせ面には、それらの外部に位置した剛性のある一対の係合壁(１７,１８)が一体成形され、
係合壁(１７,１８)には、組立用の成形クリップ(１９)及び(２０)がそれぞれ一体形成されて、これらの成形クリップ(１９,２０)が反対側の半円筒覆いのクリップ孔に差し込まれる構成とされ、
半円筒覆い(１１Ａ,１２Ａ)は、配電線用コンポジットがいし(１)のがいし笠(５ａ，５ｂ，５ｃ)の外径Ｄ1 よりも充分に大きな口径Ｄ2 をもつ覆い部を有する、ことを特徴とする配電線用コンポジットがいしの防塩カバー。
【請求項２】
軽量な棒状の強化樹脂コア(２)の外面が絶縁ポリマー被覆(５)で覆われ、強化樹脂コア(２)の長さ方向に離間した複数のがいし笠(５ａ,５ｂ,５ｃ)が一体成形された配電線用コンポジットがいし(１)の防塩カバー（１０Ｂ）であって、
絶縁ポリマー被覆(５)の外表面の周囲を離間した状態で取り囲んで同表面の濡れを防止する取り外し可能な一対の半円筒覆い(１１Ｂ,１２Ｂ)を備え、
半円筒覆い(１１Ｂ,１２Ｂ)のそれぞれは、外径が均一な樋状に成形され、
半円筒覆い(１１Ｂ,１２Ｂ)の組み合わせ面には、噛み合わせエッジ(１３)及び噛み合わせ溝(１４)が一体成形され、
半円筒覆い(１１Ｂ,１２Ｂ)の長さ方向中間部の内面には、配電線用コンポジットがいし(１)の中央のがいし笠(５ｂ)に係合できる取付溝(２１、固定部分）が形成され、
取付溝(２１)は、対応するがいし笠(５ｂ)に嵌合でき、
半円筒覆(１１Ｂ,１２Ｂ)の長さは、その端面と対向するがいし笠(５ａ,５ｃ)との間に所定の間隔(Ｌ)が形成される長さとし、
取付溝(２１)の両側の組み合わせ面には、水抜き孔(１５,１６)が形成され、
半円筒覆い(１１Ｂ, １２Ｂ)の組み合わせ面には、それらの外部に位置した剛性のある一対の係合壁(１７,１８)が一体成形され、これらの係合壁(１７,１８)には、組立用の成形クリップ(１９)及びクリップ孔(２０)がそれぞれ一体形成され、
これらの成形クリップ(１９)は、反対側の半円筒覆い(１１Ｂ,１２Ｂ)のクリップ孔(２０)に差し込まれる構成とされる、
ことを特徴とする配電線用コンポジットがいしの防塩カバー。
【請求項３】
軽量な棒状の強化樹脂コア(２)の外面が絶縁ポリマー被覆(５)で覆われ、強化樹脂コア(２)の長さ方向に離間した複数のがいし笠(５ａ,５ｂ,５ｃ)が一体成形された配電線用コンポジットがいし(１)の防塩カバー（１０Ｃ）であって、
絶縁ポリマー被覆(５)の外表面の周囲を離間した状態で取り囲んで同表面の濡れを防止する取りはずし可能な一対の半円筒覆い(１１Ｃ,１２Ｃ)を備え、
半円筒覆い(１１Ｃ,１２Ｃ)のそれぞれは、外径が均一な樋状に成形され、
半円筒覆い(１１Ｃ,１２Ｃ)の組み合わせ面には、噛み合わせエッジ(１３)及び噛み合わせ溝(１４)が一体成形され、
半円筒覆い(１１Ｃ,１２Ｃ)の長さ方向の中間内部には、配電線用コンポジットがいし(１)のがいし笠(５ｂ,５ｃ)の間の棒状部に係合できる取付カラー(２２,固定部分)が一体成形され、
取付カラー(２２)の中心孔(２３)は、がいし笠(５ａ,５ｂ,５ｃ)の中間の棒状部に嵌合でき、
これらの取付カラー(２２)の両側の組み合わせ面には、内部へ侵入した雨水を排出する水抜き孔(１５,１６)がそれぞれ形成され、
半円筒覆い(１１Ｃ,１２Ｃ)の組み合わせ面にはそれらの外部に位置した剛性のある一対の係合壁(１７,１８)が一体成形され、
係合壁(１７,１８)には、組立用の成形クリップ(１９)及びクリップ孔(２０)がそれぞれ一体形成され、
これらの成形クリップ(１９)を反対側の半円筒覆い(１１Ｃ,１２Ｃ)のクリップ孔(２０)に差し込む構成となし、
半円筒覆い(１１Ｃ,１２Ｃ)は、配電線用コンポジットがいし(１)のがいし笠(５ａ,５ｂ,５ｃ)を包囲する形状をなして、配電線用コンポジットがいし(１)の棒状部に取付カラー(２２)を固定して、防塩カバー(１０Ｃ)の内部に位置したがいし笠(５ａ,５ｂ,５ｃ)が半円筒覆い(１１Ｃ,１２Ｃ)によって覆われる状態とする、ことを特徴とする配電線用コンポジットがいしの防塩カバー。
【発明の詳細な説明】
【０００１】
【発明の属する技術分野】
本発明は配電線用コンポジットがいしに関し、特に、塩水の付着による漏れ電流を防止する防塩カバーに関する。
【０００２】
【従来の技術】
近年、例えば送電線のがいしにおいては、陶器製のがいしに代わって、計量で破損しにくい点から、樹脂製の配電線用コンポジットがいしが用いられる傾向にある。
この配電線用コンポジットがいしとは、繊維強化プラスチック等の棒状強化樹脂コアの外面を、シリコーンゴム等の絶縁ポリマー被覆で覆い、長さ方向に離間した複数のがいし笠を同絶縁ポリマー被覆に一体成形したものである。
【０００３】
ところで、このような構造の配電線用コンポジットがいしにおいては、陶器製のがいしに比較した場合、表面が水で濡れても揆水性があるため、表面漏れ電流は流れ難いものの、海岸地域等で表面に塩分、じんあい等の汚染物質が付着し、更に湿潤雰囲気になると、配電線用コンポジットがいしの表面を通しての漏れ電流が問題となる。
このため、従来では、例えば特開平９−９４７２号公報に示されているように、配電線用コンポジットがいしに相当する電線用スペーサの一部にカップ状の筒体を一体成形して、塩水の付着による漏れ電流を低下する工夫が行われている。
【０００４】
【発明が解決しようとする課題】
しかしながら、カップ状の筒体を配電線用コンポジットがいしの防塩カバーに一体成形する構造では、カップ状の筒体により絶縁ポリマー被覆の表面を乾いた状態に維持できるので、それなりの効果はあるけれども、配電線用コンポジットがいしが傾いた状態に設置されると、カップ状筒体の内部に塩水等が溜ってしまい、逆効果になる場合があった。
また、この構造では、筒体を配電線用コンポジットがいしに一体成形するから、既に設置されている配電線用コンポジットがいしに塩害対策を行うことは無理で、成形自体も難しく、また、塩害のない地域用には別の構造を用いる必要があり、量産による製造コストの削減には自ら限界があった。
【０００５】
本発明の目的は、以上に述べたような従来の配電線用コンポジットがいしの問題に鑑み、配電線用コンポジットがいしの一部を常に乾いた状態に保つことができ、既存の配電線用コンポジットがいしであっても、必要に応じて簡単に塩害対策を行うことができる配電線用コンポジットがいしの防塩カバーを得るにある。
【０００６】
【課題を解決するための手段】
この目的を達成するため、本発明は、軽量な棒状の強化樹脂コアの外面を絶縁ポリマー被覆で覆い、前記強化樹脂コアの長さ方向に離間した複数のがいし笠を一体成形する配電線用コンポジットがいしにおいて、前記絶縁ポリマー被覆の外表面の周囲を離間した状態で取り囲んで同表面の濡れを防止する取りはずし可能な一対の半円筒覆いを備え、これらの半円筒覆いは、互いに組み合わせた際に前記絶縁ポリマー被覆の予め定めされた部分に固定できる固定部分と、組み合わせ状態を維持する少なくともひとつの成形クリップと、相互間に排水用の水抜き孔とを有する配電線用コンポジットがいしの防塩カバーを提案するものである。
【０００７】
後述する本発明の好ましい実施例の説明においては、
1)  前記半円筒覆いは一端を閉鎖された有底の半円筒形に成形され、前記固定部分は前記がいし笠以外の絶縁ポリマー被覆の棒状部を挟んだ状態として固定される取付部で構成される構造、
2)  前記半円筒覆いは外径の均一な樋状に成形され、前記固定部分は長さ方向の略中間の前記半円筒覆いの内面に形成されかつ前記がいし笠のひとつに係合できる取付溝である構造、
3)  前記半円筒覆いは外径の均一な樋状に成形され、前記固定部分は長さ方向の略中間の前記半円筒覆いの内面に形成されかつ前記がいし笠以外の絶縁ポリマー被覆の棒状部を挟んだ状態として固定される取付カラーである構造
が説明される。
【０００８】
【実施例】
以下、図面について本発明の実施例の詳細を説明する。
図１から図３は本発明の第１実施例の詳細を示し、図１は、既存の配電線用コンポジットがいし１に対して、本発明の取り外し可能な防塩カバー１０Ａを組み付けた状態を示している。
【０００９】
軽量の配電線用コンポジットがいし１は繊維強化プラスチック等の棒状強化樹脂コア２を有し、この強化樹脂コア２の両端のコッター部２ａ，２ｂに外部接続用の金属カラー３，４がそれぞれ固定され、同強化樹脂コア２の外面全体はシリコーンゴム等の絶縁ポリマー被覆５で覆ってある。そして、同配電線用コンポジットがいし１の外周面には前記絶縁ポリマー被覆５で構成する長さ方向に離間した複数のがいし笠５ａ，５ｂ，５ｃが一体成形され、これらのがいし笠５ａ，５ｂ，５ｃにより金属カラー３，４間の沿面放電や漏れ電流が抑制される。
【００１０】
第１実施例における防塩カバー１０Ａは、柔軟性のある絶縁性樹脂（例えばシリコーンゴム）で半円筒カップ状に樹脂成形される半円筒覆い１１Ａ，１２Ａを備え、内部への雨水等の侵入を防止するため、これらの半円筒覆い１１Ａ，１２Ａの組み合わせ面には噛み合わせエッジ１３及び噛み合わせ溝１４が一体成形してある。
また、各半円筒覆い１１Ａ，１２Ａの組み合わせ面には内部へ侵入した雨水を排出する２組の水抜き孔１５，１６がそれぞれ形成されるから、配電線用コンポジットがいし１が傾いた状態で使用されても、防塩カバー１０Ａの内部に侵入した雨水はこれらの水抜き孔１５，１６のいずれかから直ちに外部へ排出される。
【００１１】
前記各半円筒覆い１１Ａ，１２Ａの一端には配電線用コンポジットがいし１の一方のコッター部２ｂを挟んだ状態で固定される閉鎖壁、即ち取付部１１ａ，１２ａ（固定部分）が一体成形されると共に、各半円筒覆い１１Ａ，１２Ａの組み合わせ面にはそれらの外部に位置した剛性のある一対の係合壁１７，１８が一体成形され、これらの係合壁１７，１８には、組立用の成形クリップ１９及び２０がそれぞれ一体形成されるから、これらの成形クリップ１９を反対側の半円筒覆い１１Ａ，１２Ａのクリップ孔２０に強く差し込むことができる。そして、前記各半円筒覆い１１Ａ，１２Ａは、配電線用コンポジットがいし１のがいし笠５ａ，５ｂ，５ｃの外径Ｄ1 よりも充分に大きな口径Ｄ2 をもつ覆い部１１ｂ，１２ｂを有し、これらの覆い部１１ｂ，１２ｂは、配電線用コンポジットがいし１に防塩カバー１０Ａを固定すると、離間した状態で最寄りのがいし笠５ｃの外周を覆った状態となるから、防塩カバー１０Ａの内面が常に乾燥した状態となる。
【００１２】
第１実施例による防塩カバー１０Ａは、以上のような構造であるから、必要に応じて複数のがいし笠５ａ，５ｂ，５ｃをもつ配電線用コンポジットがいし１に取り付けて塩害防止対策構造とすることができる。
即ち、配電線用コンポジットがいし１を塩害対策構造とするには、配電線用コンポジットがいし１のコッター部２ａ，２ｂに配電線用コンポジットがいし１の取付部１１ａ，１２ａを固定すれば、同防塩カバー１０Ａに最寄りのがいし笠５ｃ全体が各半円筒覆い１１Ａ，１２Ａの覆い部１１ｂ，１２ｂで覆われた状態になるから、半円筒覆い１１Ａ，１２Ａの内部への雨水等の侵入が略阻止され、仮に侵入した雨水があっても、同雨水は水抜き孔１５，１６から直ちに外部へ排出されることになる。
この場合、半円筒覆い１１Ａ，１２Ａの内部にがいし笠５ｃが配置された状態となるため、半円筒覆い１１Ａ，１２Ａの内部に直接に雨水等が入り難く、半円筒覆い１１Ａ，１２Ａの内面は常に乾燥した状態に維持されるから、塩水で濡れて漏れ電流が増大するのを抑制できる。
【００１３】
また、配電線用コンポジットがいし１に防塩カバー１０Ａを取り付けるには、配電線用コンポジットがいし１のコッター部２ａ，２ｂの外囲を取り囲んだ状態として、両半円筒覆い１１Ａ，１２Ａを組み合わせ面で合わせ、両半円筒覆い１１Ａ，１２Ａの成形クリップ１９を相手側の半円筒覆い１１Ａ，１２Ａの対応クリップ孔２０に強く差し込むだけで、防塩カバー１０Ａを配電線用コンポジットがいし１に簡単に固定できるので、既に設置済の配電線用コンポジットがいし１にも、簡単に取り付けることができる。
そして、この防塩カバー１０Ａは、塩害対策が施されていない配電線用コンポジットがいし１に対して、必要に応じて取り付けるだけでよいので、塩害対策用の特別の配電線用コンポジットがいし１を別に製作する必要を回避して、配電線用コンポジットがいし１の量産効果による製造原価削減にも寄与できる。
【００１４】
図４から図６は本発明の第２実施例による防塩カバー１０Ｂを示し、この実施例の防塩カバー１０Ｂは柔軟性のある絶縁性樹脂（例えばシリコーンゴム）で樋状に樹脂成形される半円筒覆い１１Ｂ，１２Ｂを備えるが、内部への雨水等の侵入を防止するため、これらの半円筒覆い１１Ｂ，１２Ｂの組み合わせ面には噛み合わせエッジ１３及び噛み合わせ溝１４が一体成形されるのは第１実施例の場合と同様である。
また、各半円筒覆い１１Ｂ，１２Ｂの長さ方向中間部の内面には、配電線用コンポジットがいし１のひとつ（中央）のがいし笠５ｂに係合できる取付溝２１（固定部分）が形成され、この取付溝２１は対応がいし笠５ｂに嵌合できる。これらの半円筒覆い１１Ｂ，１２Ｂの長さとしては、その端面と対向するがいし笠５ａ，５ｃとの間に約１０ｍｍ程度の間隔Ｌを形成しておけば、半円筒覆い１１Ｂ，１２Ｂとこれらのがいし笠５ａ，５ｃとの間に着雪するのを防止できる。これらの間隔Ｌがある場合、がいし笠５ａ，５ｃが半円筒覆い１１Ｂ，１２Ｂの入口を塞ぐ状態で位置するから、半円筒覆い１１Ｂ，１２Ｂの内面を常に乾燥状態に保つことができる。
そして、これらの取付溝２１の両側の組み合わせ面には、内部へ侵入した雨水を排出する２組の水抜き孔１５，１６がそれぞれ形成されるから、配電線用コンポジットがいし１が傾いた状態で使用されても、防塩カバー１０Ｂの内部に侵入した雨水はこれらの水抜き孔１５，１６のいずれかから直ちに外部へ排出される。
【００１５】
前記各半円筒覆い１１Ｂ，１２Ｂの組み合わせ面にはそれらの外部に位置した剛性のある一対の係合壁１７，１８が一体成形され、これらの係合壁１７，１８には、組立用の成形クリップ１９及びクリップ孔２０がそれぞれ一体形成されるから、これらの成形クリップ１９を反対側の半円筒覆い１１Ｂ，１２Ｂのクリップ孔２０に強く差し込むことができる。
【００１６】
第２実施例による防塩カバー１０Ｂは、以上のような構造であるから、必要に応じて複数のがいし笠５ａ，５ｂ，５ｃをもつ配電線用コンポジットがいし１に取り付けて塩害防止対策構造とすることができるのは、第１実施例の場合と同様である。即ち、配電線用コンポジットがいし１を塩害対策構造とするには、配電線用コンポジットがいし１のがいし笠５ｂに配電線用コンポジットがいし１の取付溝２１を固定すれば、同がいし笠５ｂ全体が各半円筒覆い１１Ｂ，１２Ｂで覆われた状態になるから、半円筒覆い１１Ｂ，１２Ｂの内部への雨水等の侵入が略阻止され、仮に侵入した雨水があっても、同雨水は水抜き孔１５，１６から直ちに外部へ排出されることになる。このため、半円筒覆い１１Ｂ，１２Ｂの内面及び防塩カバー１０Ｂが固定されたがいし笠５ｂの表面は常に乾燥した状態に維持されるから、塩水で濡れて漏れ電流が増大するのを抑制できる。
【００１７】
また、配電線用コンポジットがいし１に防塩カバー１０Ｂを取り付けるには、防塩カバー１０Ｂの取付溝２１をがいし笠５ｂに嵌合して、両半円筒覆い１１Ｂ，１２Ｂを組み合わせ面で合わせ、両半円筒覆い１１Ｂ，１２Ｂの成形クリップ１９を相手側の半円筒覆い１１Ｂ，１２Ｂの対応クリップ孔２０に強く差し込むだけで、防塩カバー１０Ｂを配電線用コンポジットがいし１に簡単に固定できるので、第１実施例の場合と同様に、既に設置済の配電線用コンポジットがいし１にも、簡単に取り付けることができるけれども、第１実施例と比較した場合、防塩カバー１０Ｂががいし笠５ｂに固定されるため、配電線用コンポジットがいし１に対する防塩カバー１０Ｂの取付位置が正確になる利点がある。
そして、この防塩カバー１０Ｂは、塩害対策が施されていない配電線用コンポジットがいし１に対して、必要に応じて取り付けるだけでよいので、塩害対策用の特別の配電線用コンポジットがいし１を別に製作する必要を回避して、配電線用コンポジットがいし１の量産効果による製造原価削減にも寄与できるのは、改めて指摘するまでもない。
【００１８】
図７から図９は本発明の第３実施例による防塩カバー１０Ｃを示し、この実施例の防塩カバー１０Ｃは柔軟性のある絶縁性樹脂（例えばシリコーンゴム）で樋状に樹脂成形される半円筒覆い１１Ｃ，１２Ｃを備えるが、内部への雨水等の侵入を防止するため、これらの半円筒覆い１１Ｃ，１２Ｃの組み合わせ面には噛み合わせエッジ１３及び噛み合わせ溝１４が一体成形されるのは第１実施例及び第２実施例の場合と同様である。
また、各半円筒覆い１１Ｃ，１２Ｃの長さ方向中間内部には、配電線用コンポジットがいし１のがいし笠５ｂ，５ｃの間の棒状部に係合できる取付カラー２２（固定部分）が一体成形され、この取付カラー２２の中心孔２３はがいし笠５ａ，５ｂ，５ｃの中間の棒状部に嵌合できる。
そして、これらの取付カラー２２の両側の組み合わせ面には、内部へ侵入した雨水を排出する２組の水抜き孔１５，１６がそれぞれ形成されるから、配電線用コンポジットがいし１が傾いた状態で使用されても、防塩カバー１０Ｃの内部に侵入した雨水はこれらの水抜き孔１５，１６のいずれかから直ちに外部へ排出される。
【００１９】
前記各半円筒覆い１１Ｃ，１２Ｃの組み合わせ面にはそれらの外部に位置した剛性のある一対の係合壁１７，１８が一体成形され、これらの係合壁１７，１８には、組立用の成形クリップ１９及びクリップ孔２０がそれぞれ一体形成されるから、これらの成形クリップ１９を反対側の半円筒覆い１１Ｃ，１２Ｃのクリップ孔２０に強く差し込むことができるのは、第１実施例及び第２実施例の場合と同様である。
【００２０】
第３実施例による防塩カバー１０Ｃは、以上のような構造であるから、必要に応じて配電線用コンポジットがいし１の棒状部に取り付けて塩害防止対策構造とすることができるのは、第１実施例及び第２実施例の場合と同様である。
即ち、配電線用コンポジットがいし１を塩害対策構造とするには、配電線用コンポジットがいし１のがいし笠５ａ，５ｂ，５ｃを包囲する状態として、配電線用コンポジットがいし１の棒状部に取付カラー２２を固定すれば、同防塩カバー１０Ｃの内部に位置したがいし笠５ａ，５ｂ，５ｃが各半円筒覆い１１Ｃ，１２Ｃで覆われた状態になるから、半円筒覆い１１Ｃ，１２Ｃの内部への雨水等の侵入が略阻止され、仮に侵入した雨水があっても、同雨水は水抜き孔１５，１６から直ちに外部へ排出されることになる。
この場合、半円筒覆い１１Ｃ，１２Ｃの内部にがいし笠５ｂ，５ｃが配置された状態になるため、半円筒覆い１１Ｃ，１２Ｃの内部に直接に雨水等が入り難く半円筒覆い１１Ｃ，１２Ｃの内面は常に乾燥した状態に維持されるから、塩水で濡れて漏れ電流が増大するのを抑制できる。
【００２１】
また、配電線用コンポジットがいし１に防塩カバー１０Ｃを取り付けるには、防塩カバー１０Ｃの取付カラー２２をがいし笠５ａ，５ｂ，５ｃの中間に位置する状態として、両半円筒覆い１１Ｃ，１２Ｃを組み合わせ面で合わせ、両半円筒覆い１１Ｃ，１２Ｃの成形クリップ１９を相手側の半円筒覆い１１Ｃ，１２Ｃの対応クリップ孔２０に強く差し込むだけで、防塩カバー１０Ｃを配電線用コンポジットがいし１に簡単に固定できるので、第１実施例及び第２実施例の場合と同様に、既に設置済の配電線用コンポジットがいし１にも、簡単に取り付けることができる。
そして、この防塩カバー１０Ｃは、塩害対策が施されていない配電線用コンポジットがいし１に対して、必要に応じて取り付けるだけでよいので、塩害対策用の特別の配電線用コンポジットがいし１を別に製作する必要を回避して、配電線用コンポジットがいし１の量産効果による製造原価削減にも寄与できるのは、前述した両実施例の場合と同様である。
【００２２】
なお、前述した各実施例の説明においては、別体に成形した半円筒覆いを成形クリップで一体に組み合わせる構造を説明したけれども、これらの半円筒覆いは、可撓ヒンジで互いに連結された構造として、同半円筒覆いで配電線用コンポジットがいしの一部を覆った後、各半円筒覆いに一体成形する成形クリップで互いに固定する構造であってもよい。
【００２３】
【発明の効果】
以上の説明から明らかなように、本発明によれば、既存の配電線用コンポジットがいしに必要に応じて取り付けて使用できるから、塩害対策構造の配電線用コンポジットがいしと、同対策を構じない配電線用コンポジットがいしとを簡単に作り分けることができる。そして、同配電線用コンポジットがいしの防塩カバーは、既に設置された配電線用コンポジットがいしに対して簡単に取り付けられる利点があり、同防塩カバーの内部に侵入した雨水は直ちに外部に排出されるから、防塩カバーの内部を常に乾燥させた状態として漏れ電流の増大を効果的に抑制できる効果がある。
【図面の簡単な説明】
【図１】本発明の第１実施例による防塩カバーをコンポジットがいしに取り付けた状態を示す一部切欠き平面図である。
【図２】同防塩カバーの一部を切り欠いた右側面図である。
【図３】同防塩カバーの半円筒覆いの正面図である。
【図４】本発明の第２実施例による防塩カバーをコンポジットがいしに取り付けた状態を示す一部切欠き平面図である。
【図５】同防塩カバーの一部を切り欠いた右側面図である。
【図６】同防塩カバーの半円筒覆いの正面図である。
【図７】本発明の第３実施例による防塩カバーをコンポジットがいしに取り付けた状態を示す一部切欠き平面図である。
【図８】同防塩カバーの一部を切り欠いた右側面図である。
【図９】同防塩カバーの半円筒覆いの正面図である。
【符号の説明】
１                配電線用コンポジットがいし
２                強化樹脂コア
５                絶縁ポリマー被覆
５ａ，５ｂ，５ｃ  がいし笠
１０Ａ〜１０Ｃ    防塩カバー
１１Ａ〜１１Ｃ    半円筒覆い
１２Ａ〜１２Ｃ    半円筒覆い
１１ａ，１２ａ    取付部（固定部分）
１５，１６        水抜き孔
１９              成形クリップ
２０              クリップ孔
２１              取付溝（固定部分）
２２              取付カラー（固定部分）
【図１】
0004071319.tif 000002
【図２】
0004071319.tif 000003
【図３】
0004071319.tif 000004
【図４】
0004071319.tif 000005
【図５】
0004071319.tif 000006
【図６】
0004071319.tif 000007
【図７】
0004071319.tif 000008
【図８】
0004071319.tif 000009
【図９】
0004071319.tif 000010